(57)【要約】【課題】税率切り替え時の商品価格の再設定にかかる手間を軽減することができると共に、税率変更後の商品価格をユーザが希望する価格に設定することができる価格変更処理装置を提供する。【解決手段】価格変更処理装置１０は、商品を特定する情報ごとに商品価格を記憶する記憶部２１と、ユーザから、所定の下位桁の数値である希望設定値及び変更後の税率の入力を受け付ける入出力部１１と、商品価格及び変更後の税率から算出した税率変更後の税込価格と、希望設定値とに基づいて、税率変更後の希望提示価格を決定する演算部３１と、演算部３１によって決定された希望提示価格に基づいて記憶部２１に記憶されている商品価格を更新する価格設定部３３とを備える。【選択図】図１
2014174909.tif 000002
【特許請求の範囲】
【請求項１】
商品を特定する情報ごとに商品価格を記憶する記憶部と、
ユーザから、所定の下位桁の数値である希望設定値及び変更後の税率の入力を受け付ける入力受付部と、
前記商品価格及び前記変更後の税率から算出した税率変更後の税込価格と、前記希望設定値とに基づいて、前記税率変更後の希望提示価格を決定する演算部と、
前記演算部によって決定された前記希望提示価格に基づいて前記記憶部に記憶されている前記商品価格を更新する設定部と、
を備える価格変更処理装置。
【請求項２】
前記入力受付部は、前記希望提示価格としてユーザが希望する所定の下位桁の数値を前記希望設定値として受け付け、
前記演算部は、前記税込価格の所定の下位桁の数値が前記希望設定値と一致する場合には、算出した前記税込価格を前記希望提示価格として決定し、一致しない場合には、算出した前記税込価格よりも低く、かつ、前記希望設定値の下位桁の数値となるような価格のうち前記税込価格に最も近くなるように補正した価格を前記希望提示価格として決定する、
請求項１に記載の価格変更処理装置。
【請求項３】
前記入力受付部は、前記希望提示価格としてユーザが避けたいと希望する所定の下位桁の数値を前記希望設定値として受け付けるモードへの切り替えが可能であり、
前記入力受付部が前記モードに切り替えられると、前記演算部は、前記税込価格の所定の下位桁の数値が前記希望設定値と一致する場合には、前記税込価格から所定価格減じて補正した価格を前記希望提示価格として決定し、一致しない場合には、算出した前記税込価格を前記希望提示価格として決定する、
請求項２に記載の価格変更処理装置。
【請求項４】
前記入力受付部は、前記希望提示価格としてユーザが避けたいと希望する所定の下位桁の数値を前記希望設定値として受け付け、
前記演算部は、前記商品価格と前記変更後の税率とに基づいて算出した税率変更後の税込価格の所定の下位桁の数値が前記希望設定値と一致する場合には、前記税込価格から所定価格減じて補正した価格を前記希望提示価格として決定し、一致しない場合には、算出した前記税込価格を前記希望提示価格として決定する、
請求項１に記載の価格変更処理装置。
【請求項５】
前記入力受付部は、前記商品を特定する情報ごとに前記変更後の税率が入力可能であり、
前記演算部は、前記商品価格と前記商品を特定する情報ごとに入力された前記変更後の税率とに基づいて、前記税率変更後の税込価格を算出する、
請求項１〜４の何れか一項に記載の価格変更処理装置。
【請求項６】
前記演算部が決定した前記希望提示価格を出力する出力制御部を更に備える、
請求項１〜５の何れか一項に記載の価格変更処理装置。
【請求項７】
前記入力受付部は、前記設定部が前記商品価格を更新する時を変更希望時として受け付け可能であり、前記設定部は、前記変更希望時が到来した時に前記商品価格を更新する、
請求項１〜６の何れか一項に記載の価格変更処理装置。
【発明の詳細な説明】
【技術分野】
【０００１】
本発明は、価格変更処理装置に関する。
【背景技術】
【０００２】
例えば、特許文献１に記載のキャッシュレジスタは、商品ごとの価格を設定・記憶する価格変更処理装置を備えており、この装置から出力される価格データに基づいて、商品の価格を表示する。この価格変更処理装置は、商品と、商品価格及び必要に応じて値引き後の価格とを関連づけて記憶している。また、これらの価格は顧客に値ごろ感、お買い得感などインパクトを与えることができる価格を、ユーザ（売手）が登録できるようになっている。このような価格変更処理装置では、税率変更後の価格を自動で計算し、設定変更する機能を有しているものがある。
【先行技術文献】
【特許文献】
【０００３】
【特許文献１】特開昭５８−１９２１６５号公報
【発明の概要】
【発明が解決しようとする課題】
【０００４】
しかしながら、上記従来の価格変更処理装置では、商品ごとに、例えば税込価格が設定されている場合、税込価格から現状の税率に基づいて税抜価格を計算し、計算された税抜価格に変更後の税率を乗じた税込価格を自動的に設定する。このため、自動的に設定された税率変更後の商品価格は、顧客に値ごろ感、お買い得感などインパクトを与えることができる価格ではないおそれがある。また、このような値ごろ感のない価格に設定された商品価格に対して、ユーザが希望する値ごろ感のある価格（希望提示価格）に商品価格を再設定することは非常に手間である。
【０００５】
そこで、本発明の目的は、税率切り替え時の商品価格の再設定にかかる手間を軽減することができると共に、税率変更後の商品価格をユーザが希望する価格に設定することができる価格変更処理装置を提供することにある。
【課題を解決するための手段】
【０００６】
本発明の一側面に係る価格変更処理装置は、商品を特定する情報ごとに商品価格を記憶する記憶部と、ユーザから、所定の下位桁の数値である希望設定値及び変更後の税率の入力を受け付ける入力受付部と、商品価格及び変更後の税率から算出した税率変更後の税込価格と、希望設定値とに基づいて、希望提示価格を決定する演算部と、演算部によって決定された希望提示価格に基づいて記憶部に記憶されている商品価格を更新する設定部と、を備える。
【０００７】
この価格変更処理装置では、記憶部に記憶されている商品ごとの商品価格と変更後の税率とに基づいて、希望提示価格が自動的に算出され更新される。更に、この価格変更処理装置では、希望提示価格が、ユーザによって予め入力された数値に基づいて決定される。このため、従来の画一的な丸め処理では対応することができなかった、ユーザが希望するような価格として希望提示価格を決定することができる。この結果、税率切り替え時の商品価格の再設定にかかる手間を軽減することができると共に、希望提示価格をユーザが希望する価格に設定することができる。
【０００８】
また、入力受付部は、希望提示価格としてユーザが希望する所定の下位桁の数値を希望設定値として受け付け、演算部は、税込価格の所定の下位桁の数値が希望設定値と一致する場合には、算出した税込価格を希望提示価格として決定し、一致しない場合には、算出した税込価格よりも低く、かつ、希望設定値の下位桁の数値となるような価格のうち税込価格に最も近くなるように補正した価格を希望提示価格として決定してもよい。
【０００９】
この価格変更処理装置では、希望提示価格をユーザの希望する下位桁の値とすることができる。
【００１０】
また、入力受付部は、希望提示価格としてユーザが避けたいと希望する所定の下位桁の数値を希望設定値として受け付けるモードへの切り替えが可能であり、入力受付部がモードに切り替えられると、演算部は、税込価格の所定の下位桁の数値が希望設定値と一致する場合には、税込価格から所定価格減じて補正した価格を希望提示価格として決定し、一致しない場合には、算出した税込価格を希望提示価格として決定してもよい。
【００１１】
希望提示価格としてユーザが希望する所定の下位桁の数値が多くある場合に、入力受付部をこのモードに切り替えれば、ユーザが入力の手間を低減することが可能となる。
【００１２】
また、入力受付部は、希望提示価格としてユーザが避けたいと希望する所定の下位桁の数値を希望設定値として受け付け、演算部は、商品価格と変更後の税率とに基づいて算出した税率変更後の税込価格の所定の下位桁の数値が希望設定値と一致する場合には、税込価格から所定価格減じて補正した価格を希望提示価格として決定し、一致しない場合には、算出した税込価格を希望提示価格として決定してもよい。
【００１３】
この価格変更処理装置では、希望提示価格としてユーザが希望する所定の下位桁の数値が多くある場合に、入力受付部をこのモードに切り替えれば、ユーザが入力の手間を低減することが可能となる。
【００１４】
また、入力受付部は、商品を特定する情報ごとに変更後の税率が入力可能であり、演算部は、商品価格と商品を特定する情報ごとに入力された変更後の税率とに基づいて、税率変更後の税込価格を算出してもよい。
【００１５】
この構成によれば、商品ごとに税率を設定することができるので、商品ごとに異なる税率が設定されるような場合であっても対応することができる。
【００１６】
また、演算部が決定した希望提示価格を出力する出力制御部を更に備えてもよい。
【００１７】
この構成によれば、記憶部に記憶された商品価格を更新する前に、例えば、希望提示価格をリストとしてプリンタから出力したり、表示モニタに表示したりできるので、事前に商品ごとの希望提示価格を確認することができる。
【００１８】
また、入力受付部は、設定部が商品価格を更新する時を変更希望時として受け付け可能であり、設定部は、変更希望時が到来した時に商品価格を更新してもよい。
【００１９】
この構成によれば、例えば、法律改正などによって税率が変わる当日に、自動的に記憶部に記憶された商品価格を税率変更後の商品価格に更新することができる。
【発明の効果】
【００２０】
本発明によれば、税率切り替え時の商品価格の再設定にかかる手間を軽減することができると共に、税率変更後の商品価格をユーザが希望する価格に設定することができる。
【図面の簡単な説明】
【００２１】
【図１】一実施形態に係る価格変更処理装置を備えるラベル発行装置の概略構成図である。
【図２】図１に示す価格変更処理装置における動作を示したフローチャートである。
【図３】一実施形態に係る価格変更処理装置を備える電子棚札システムのブロック図である。
【発明を実施するための形態】
【００２２】
以下、図面を参照して一実施形態について説明する。図面の説明において、同一要素には同一符号を付し、重複する説明を省略する。図面の寸法比率は、説明のものと必ずしも一致していない。
【００２３】
一実施形態に係る価格変更処理装置１０を備えるラベル発行装置１について説明する。ラベル発行装置１は、計量装置及び他システムなどの計量部から商品の重量又は個数のデータを取得して、商品ごとに設定された希望提示価格をラベルに印字・発行する装置である。本実施形態のラベル発行装置１は、例えば法律改正などによる税率変更に備え、商品ごとに関連付けて記憶されている現行税率での税込商品価格を、税率変更後にユーザ（売主）が顧客（買主）に提示したい価格である希望提示価格に更新する機能を有している。
【００２４】
図１は、一実施形態に係る価格変更処理装置１０を備えるラベル発行装置１の概略構成図である。図１に示すように、ラベル発行装置１は、入出力部（入力受付部）１１と、記憶部２１と、制御部３０と、ラベル発行部５０とを備えている。価格変更処理装置１０は、入出力部１１と、記憶部２１と、制御部３０に含まれる演算部３１、価格設定部３３、及び出力制御部３５とを含んで構成される。
【００２５】
入出力部１１は、ユーザからの入力を受け付けると共に、ユーザに対し操作を促すための種々の情報を表示する。入出力部１１は、操作パネル１１ａ及び液晶表示部１１ｂを有している。操作パネル１１ａには、商品に関する各種のデータを呼び出すための呼出キー、及び商品を選択するためのテンキーなどが設けられている。液晶表示部１１ｂは、液晶表示部１１ｂに直接タッチすることによって商品名を指定し、商品に関するデータを呼び出すためのキーなどが設けられている。また、液晶表示部１１ｂは、制御部３０から出力されてくる情報に基づいて種々の画面を表示する。入出力部１１は、ユーザから受け付けた情報を制御部３０に出力する。
【００２６】
本実施形態の入出力部１１では、ユーザから、所定の下位桁の数値である希望設定値及び変更後の税率の入力を受け付けることができる。ここでいう希望設定値とは、変更後の税率に基づいて一律に算出される税率変更後の税込商品価格に対して補正を加えるための値である。一律に算出される税込商品価格に対して補正を加える意味は以下のとおりである。すなわち、ユーザは、顧客に対して「値ごろ感」及び「お得感」などインパクトを与えることができる価格を、税込商品価格として設定することが多い。この場合、単に税率変更後の税率に基づいて税込商品価格を再算出するだけでは、インパクトに欠ける価格となるおそれがある。上記希望設定値は、税率変更後の税込商品価格をインパクトがある価格（希望提示価格）に補正するための値である。
【００２７】
具体的には、入出力部１１は、希望提示価格として設定したい所定の下位桁の数値を希望設定値として受け付ける。入出力部１１は、受け付けた希望設定値及び変更後の税率を、後述する演算部３１に送信する。例えば、入出力部１１が希望設定値として「００，２８，４８，６５，８０，９８」を受け付けた場合には、後述する演算部３１によって、希望提示価格が単に税率変更後の税率に基づいて算出されるのではなく、その価格の下二桁の数値が「００，２８，４８，６５，８０，９８」となるように決定される。なお、具体的な希望提示価格の決定方法については、後段にて詳述する。
【００２８】
また、入出力部１１では、希望提示価格としてユーザが避けたいと希望する所定の下位桁の数値を希望設定値として受け付ける回避値入力モードへの切り替えが可能である。例えば、入出力部１１が希望設定値として「０４，０９，４２，７１，９９」を受け付けた場合には、後述する演算部３１によって、希望提示価格が単に税率変更後の税率に基づいて算出されるのではなく、その価格の下二桁の数値が「０４，０９，４２，７１，９９」とならないように決定される。具体的な希望提示価格の決定方法については、後段にて詳述する。
【００２９】
記憶部２１は、商品を特定する情報ごとに税込商品価格を記憶する。記憶部２１は、商品ＩＤ（商品を特定する情報）に対して、商品名及び税込商品価格が関連付けられた商品マスタを記憶する。
【００３０】
制御部３０は、ラベル発行装置１における各種動作を制御する部分であり、ＣＰＵ（CentralProcessing Unit）、ＲＯＭ（Read Only Memory）、ＲＡＭ（Random Access Memory）、ハードディスクなどで構成される。図１に示すように、制御部３０は、ラベル発行装置１の各種制御処理を実行する概念的な部分としての演算部３１、価格設定部（設定部）３３、出力制御部３５、及びラベル発行制御部４１を有している。このような概念的な部分が実行する機能は、ＣＰＵなどの制御のもと実行される。
【００３１】
演算部３１は、記憶部２１に記憶されている税込商品価格、及び、入出力部１１において受け付けた変更後の税率から税率変更後の税込商品価格を算出し、算出した税率変更後の税込商品価格と、入出力部１１で受け付けた希望設定値とに基づいて、希望提示価格を決定する部分である。例えば、演算部３１は、算出した税率変更後の税込商品価格の所定の下位桁の数値が希望設定値と一致する場合には、算出した税込商品価格を希望提示価格として決定し、一致しない場合には、算出した税込商品価格よりも低く、かつ、希望設定値の下位桁の数値となるような価格のうち算出した税込商品価格に最も近くなるように補正した価格を希望提示価格として決定する。なお、演算部３１が税率変更後の税込商品価格を算出する際は、切り捨て、切り上げ、及び四捨五入などの端数処理が選択可能な構成としてもよい。
【００３２】
一方、入出力部１１が回避値入力モードで希望設定値を受け付けた場合、演算部３１は、税込価格の所定の下位桁の数値が希望設定値と一致する場合には、算出した税込商品価格から所定価格（例えば１円）減じて補正した価格を希望提示価格として決定し、一致しない場合には、算出した税込商品価格を希望提示価格として決定する。
【００３３】
価格設定部３３は、演算部３１によって決定された希望提示価格に基づいて、記憶部２１に記憶されている税込商品価格を更新する部分である。本実施形態では、価格設定部３３は、商品マスタの税込商品価格を、演算部３１により決定された希望提示価格で更新する。
【００３４】
出力制御部３５は、価格設定部３３が記憶部２１に記憶されている税込商品価格を更新する前に、演算部３１が決定した希望提示価格を出力する部分である。出力制御部３５は、例えば、演算部３１により決定された希望提示価格の一覧データを生成する。生成されたデータは、入出力部１１の液晶表示部１１ｂに表示させたり、所定の端末に送信したりすることができる。
【００３５】
ラベル発行部５０は、ラベル発行制御部４１による制御のもと、入出力部１１において指定された商品の税込商品価格（希望提示価格）をラベルに印刷する。
【００３６】
次に、価格変更処理装置１０の動作について、図２を用いて説明する。図２は、価格変更処理装置１０の動作を示すフローチャートである。
【００３７】
ステップＳ１が始まる前提として、価格変更処理装置１０では、現行の税率（例えば５％）及び変更後の税率（例えば８％）が設定されているとする。まず、演算部３１は、記憶部２１に記憶されている商品マスタの中の１つの商品ＩＤ（以後、「商品Ｘ」と称する。）に対応する税込商品価格の値をレジスタＡに格納する（ステップＳ１）。
【００３８】
次に、演算部３１は、レジスタＡに格納された税込商品価格について、現行の税率に基づいて税抜商品価格を算出し、この税抜商品価格に変更後の税率を乗じることにより商品Ｘの税率変更後の税込商品価格を算出する（ステップＳ２）。例えば、商品マスタに記憶されている商品Ｘの税込商品価格が３７０円の場合、演算部３１によって算出される税率変更後の税込商品価格は３９９円である。演算部３１は、算出した商品Ｘの税率変更後の税込商品価格の値をレジスタＢに格納する（ステップＳ３）。
【００３９】
次に、価格設定部３３は、希望設定値が設定されているか否かを判定する。言い換えれば、ユーザによって、税率変更後の税込商品価格をインパクトがある価格に補正するための値（希望設定値）が入力されているか否かを判定する（ステップＳ４）。希望設定値が設定されていない場合（ステップＳ４：ＮＯ）には、価格設定部３３は、レジスタＢに格納された値を希望提示価格として決定する。そして、価格設定部３３は、商品マスタにおける商品Ｘの税込商品価格をレジスタＢに格納された値で更新する（ステップＳ１１）。
【００４０】
希望設定値が設定されている場合(ステップＳ４：ＹＥＳ）には、価格設定部３３は、入出力部１１が回避値入力モードで希望設定値を受け付けたか否かを判定する。すなわち、価格設定部３３は、入出力部１１が税率変更後の価格としてユーザが避けたいと希望する所定の下位桁の数値を希望設定値として受け付けたか否かを判定する。
【００４１】
（回避値入力モードで受け付けた場合）
回避値入力モードの入出力部１１で希望設定値を受け付けた場合（ステップＳ５：ＹＥＳ）には、価格設定部３３は、レジスタＢに格納されている値の下位桁の数値が、希望設定値として設定された数値と一致しているか否かを判定する（ステップＳ１０）。希望設定値として設定された数値と一致しない場合（ステップＳ１０：ＮＯ）には、価格設定部３３は、レジスタＢに格納された値を希望提示価格として決定する。そして、価格設定部３３は、商品マスタの商品Ｘの税込商品価格を、レジスタＢに格納された値で更新する（ステップＳ１１）。希望設定値として設定された数値と一致する場合（ステップＳ１０：ＹＥＳ）には、価格設定部３３は、レジスタＢに格納された値を以下の方法で補正する。すなわち、価格設定部３３は、レジスタＢに格納されている値について、レジスタＢに格納されている値から「−１」減じて補正した値を希望提示価格として決定する。価格設定部３３は、この希望提示価格で、商品マスタの商品Ｘの税込商品価格を更新する（ステップＳ１２）。
【００４２】
例えば、入出力部１１において「０４，０９，４２，７１，９９」を受け付けたとし、演算部３１が算出した税率変更後の税込商品価格（レジスタＢ格納値）が３９９円であったとする。このとき、算出値（３９９円）の下位桁が希望設定値の一つである「９９」と一致するので、価格設定部３３は、算出値である３９９円から１円を減じて補正した価格（３９８円）で商品マスタの商品Ｘの税込商品価格を更新する。
【００４３】
（通常モードで受け付けた場合）
回避値入力モードの入出力部１１で希望設定値を受け付けなかった場合、すなわち、入出力部１１が希望提示価格としてユーザが希望する所定の下位桁の数値を希望設定値として受け付けた場合（ステップＳ５：ＹＥＳ）には、価格設定部３３は、レジスタＢに格納されている下位桁の数値が、希望設定値として設定された数値と一致しているか否かを判定する（ステップＳ６）。希望設定値として設定された数値と一致する場合（ステップＳ６：ＹＥＳ）には、価格設定部３３は、レジスタＢに格納された値を希望提示価格として決定する。そして、価格設定部３３は、商品マスタの商品Ｘの税込商品価格を、レジスタＢに格納された値で更新する（ステップＳ１１）。希望設定値として設定された数値と一致しない場合（ステップＳ６：ＮＯ）には、価格設定部３３は、レジスタＢに格納された値を以下の方法で補正する。すなわち、価格設定部３３は、レジスタＢに格納されている値を、レジスタＢに格納された値よりも低く、かつ、希望設定値の下位桁の数値と一致するような値のうち、レジスタＢに格納された値に最も近くなるように補正した値を希望提示価格として決定する。価格設定部３３は、この希望提示価格で、商品マスタの商品Ｘの税込商品価格を更新する（ステップＳ７）。
【００４４】
例えば、入出力部１１において「００，２８，４８，６５，８０，９８」を受け付けたとし、演算部３１が算出した税率変更後の税込商品価格（レジスタＢ格納値）が３９９円であったとする。このとき、算出値（３９９円）の下位桁が希望設定値の何れとも一致しないので、価格設定部３３は、算出値である３９９円よりも低く、かつ、希望設定値の下位桁の数値となるような価格（３００円、３２８円，３４８円，３６５円，３８０円，３９８円）のうち算出値（３９９円）に最も近い価格（３９８円）で、商品マスタの商品Ｘの税込商品価格を更新する。
【００４５】
次に、ステップＳ７、ステップＳ１１、及びステップＳ１２に何れかによって商品マスタの商品Ｘの税込商品価格が更新されると、価格設定部３３は、商品マスタにおいて、まだ、税込商品価格の更新を行っていない商品があるか否かを判定する（ステップＳ８）。価格設定部３３によって、全ての商品について更新が行われたと判定された場合（ステップＳ８：ＮＯ）には、価格変更処理装置１０における一連の動作が終了する。
【００４６】
価格設定部３３によって、更新を行っていない商品があると判定された場合（ステップＳ８：ＹＥＳ）には、演算部３１は、まだ税込商品価格の更新がされていない他の商品（例えば、商品Ｙ）の税込商品価格を商品マスタから読み出し（ステップＳ９）、レジスタＡに格納する（ステップＳ１）。以後、商品マスタ内の全ての商品の税込商品価格を、希望提示価格に更新するまで、上述したステップＳ１〜ステップＳ１２における価格変更処理を繰り返す。
【００４７】
上記実施形態の価格変更処理装置１０は、記憶部２１に記憶されている商品マスタの税込商品価格と変更後の税率とに基づいて、希望提示価格が自動的に算出され更新される。更に、この価格変更処理装置１０では、希望提示価格が、ユーザによって予め入力された、希望提示価格としてユーザが希望する所定の下位桁の数値に基づいて決定される。このため、従来の画一的な丸め処理では対応することができなかった、ユーザが希望する価格として希望提示価格を決定することができる。この結果、税率切り替え時の商品価格の再設定にかかる手間を軽減することができると共に、希望提示価格をユーザが希望する価格に設定することができる。
【００４８】
また、入出力部１１は、希望提示価格としてユーザが避けたいと希望する所定の下位桁の数値を希望設定値として受け付けるモードへの切り替えが可能である。このため、希望提示価格としてユーザが希望する所定の下位桁の数値が多くある場合に、ユーザにとって入力の手間の低減となる。
【００４９】
以上、一実施形態について説明したが、本発明は、上記実施形態に限られるものではなく、発明の趣旨を逸脱しない範囲で種々の変更が可能である。
【００５０】
上記実施形態の入出力部１１は、商品マスタの税込商品価格を更新させたい時を変更希望時として受け付け、当該変更希望時が到来した時に、価格設定部３３が商品マスタの商品価格を希望提示価格に更新するような構成としてもよい。このような構成の価格変更処理装置１０とすれば、例えば、法律改正などによって税率が変わる当日に、自動的に商品マスタの税込商品価格を更新することができる。
【００５１】
また、上記実施形態の入出力部１１は、商品ごとに変更後の税率の入力を可能とし、演算部３１は、商品マスタの税込商品価格と、商品ごとに入力された変更後の税率とに基づいて、税率変更後の税込商品価格を算出する構成としてもよい。このような構成の価格変更処理装置１０とすれば、商品ごとに税率を設定することができるので、商品ごとに異なる税率が設定されるような場合であっても対応することができる。
【００５２】
また、上記実施形態では、価格設定部３３が商品マスタにおける税込商品価格を更新する例を挙げて説明したが、例えば、商品ＩＤに対して、税込商品価格とは別に、希望提示価格が別の項目として関連付けられている商品マスタの構成の場合、価格設定部３３は、この希望提示価格として記憶されている値を更新するようにしてもよい。
【００５３】
また、例えば、商品ＩＤに対して、税込商品価格とは別に、税抜商品価格（商品価格）が別の項目として関連付けられている商品マスタの構成の場合、演算部３１は、この税抜商品価格と変更後の税率とに基づいて、変更後の税込商品価格を算出してもよい。
【００５４】
一実施形態に係る価格変更処理装置１０がラベル発行装置１に適用された例を挙げて説明したが、本発明はこれに限定されるものではなく、例えば、図３に示すような電子棚札システム１０１に適用することもできる。図３は、一実施形態に係る電子棚札システム１０１のブロック図である。
【００５５】
電子棚札システム１０１は、従来の紙の値札に代わり、液晶表示部を備えるＥＳＬ（電子棚札）１１４に商品価格などの情報を示すシステムである。電子棚札システム１０１では、ＥＳＬサーバ１１１内の商品情報ファイルの情報が更新されると、ベースステーション１１２及びトランシーバー１１３を介して、該当する各ＥＳＬ１１４に対して商品情報が送信され、電子値札の情報が更新される。
【００５６】
上記実施形態と同様の構成を備える価格変更処理装置１０が、このようなＥＳＬサーバ１１１内に設けられることにより、税率の変更があった場合であっても、商品情報ファイルの税込商品価格を自動的に希望提示価格に更新することができる。したがって、電子値札には自動的に希望提示価格が表示されるようになる。
【００５７】
更に、上記実施形態で説明した価格変更処理装置１０は、商品情報などを配信するサーバなどに適用することも可能である。
【００５８】
制御部３０に含まれる演算部３１、価格設定部３３、出力制御部３５、及びラベル発行制御部４１によって実施される価格変更処理方法は、コンピュータに実行させるプログラムとしても実現可能である。
【符号の説明】
【００５９】
１…ラベル発行装置、１０…価格変更処理装置、１１…入出力部、１１ａ…操作パネル、１１ｂ…液晶表示部、２１…記憶部、３０…制御部、３１…演算部、３３…価格設定部（設定部）、３５…出力制御部、４１…ラベル発行制御部、５０…ラベル発行部、１０１…電子棚札システム、１１１…ＥＳＬサーバ、１１２…ベースステーション、１１３…トランシーバー、１１４…ＥＳＬ（電子棚札）。
【図１】
2014174909.tif 000003
【図２】
2014174909.tif 000004
【図３】
2014174909.tif 000005